(57)【要約】
【課題】配線用プルボックスの蓋部材の取り付けと取り外しが、大きな力を出さなくとも簡単にできるようにして、高所での作業も安心してできるようにする。
【解決手段】配線用プルボックスの蓋部材１１の裏面に、４角形の蓋部材１１の対角線から４５°以内で、９０°点対称に４個の係合突起１３を設け、その係合突起１３の先端がプルボックス本体２の開口１の係止部４に引っ掛かるようにする。こうすることで、係合突起１３が、蓋１１の取り付けと取り外しの際に開口１の係止部４に引っ掛かって蓋部材１１を係止するので、高所での蓋部材１１の取り付けと取り外しが簡単、かつ、安全にできる。
【選択図】図１
0003100707.tif 000002
【実用新案登録請求の範囲】
【請求項１】
開口端の４辺を内側に９０度折り曲げて蓋部材の取り付け用のネジ孔を設ける係止部を形成した配線用のプルボックス本体の開口に取り付けられる４角形の蓋部材において、
上記４角形の蓋部材の裏面に、その４角形の対角線から４５°以内で、９０°点対称に４個の係合突起を設け、その９０°点対称に設けた係合突起の先端が蓋部材をプルボックス本体の開口に合致させたときに、開口の係止部に引っ掛かるようにした配線用プルボックスの蓋部材。
【請求項２】
上記請求項１に記載の４個の係合突起を裏面に設けた蓋部材と、４つの開口端を内側に９０度折り曲げてネジ孔を設ける係止部を形成したプルボックス本体とからなる配線用プルボックス。
【考案の詳細な説明】
【技術分野】
【０００１】
この考案は、例えば、屋外配線と屋内配線との接続ボックスや屋内配線の分岐ボックスなどとして用いられる配線用プルボックスの蓋部材とその蓋部材を用いた配線用プルボックスに関するものである。
【背景技術】
【０００２】
屋外配線と屋内配線との接続ボックスや屋内配線の分岐ボックスなどとして用いられる配線用プルボックスは、図５のように開口１を設けた箱型のプルボックス本体２と本体２の開口１に取り付けられる蓋部材３とで構成されている。
【０００３】
前記プルボックス本体２は、開口端の４辺を内側に９０度折り曲げて係止部４を形成し、その係止部４の４角にネジ孔５を設けた構造となっている。
一方、蓋部材３は、前記ネジ孔５に対応した貫通孔６を４隅に形成した構造となっている。
【０００４】
このようなプルボックスは、建物の天井や天井近くの壁面などに取り付けられるので、蓋部材３の取り付けや取り外しは、一方の手で蓋部材３の落下を防ぎながら、もう一方の手でドライバーを使ってネジの取り付けや取り外しを行わねばならず、高所での辛い作業となっている。
【０００５】
この問題を解決する一つの方法として、図６（ａ）、（ｂ）の〔特許文献１〕に示すような弾性片７を使ったものを提案した。
【０００６】
すなわち、このものは、蓋部材３の内側に４枚の舌状のバネ７を、それぞれ９０度ずつ角度をおいて取り付け、一方、プルボックス本体２には、開口端の４辺を内側に９０度折り曲げてネジ孔を設けた係止部４に、バネ７の幅より少し大きめの間隔をおいて、各辺ごとに突部８を設けたもので、図６（ｂ）に示すように、蓋部材３を回転させてバネ７を係止部４の下にもぐり込ませたのち、９０度回転させてバネ７を撓ませて突部を乗り越えさせると、バネの弾性によって蓋部材３を保持するようになっている。また、蓋部材３を取り付けたのと逆の操作によって蓋部材３を９０度回転させて突部８を乗り越えさせれば簡単に取り外すことができるようにしてある。
【特許文献１】特開平８−１２６１５６号公報
【考案の開示】
【考案が解決しようとする課題】
【０００７】
しかしながら、上記の弾性片（バネ）を用いたものでは、蓋部材をプルボックス本体の開口にピタリと密着させるには、弾性の小さな固いバネの方が良い。ところが、そのようなバネを使うと、蓋部材の取り付けと取り外しには、バネを撓ませて突部を乗り越えさせねばならないので、大きな力がいるという問題がある。その際、ハシゴなどを使って高所で作業をしていると、バランスを崩しやすく危険な問題もある。
【０００８】
そこで、この考案の課題は、蓋の取り付けと取り外しが、大きな力を出さなくとも簡単にできるようにして、高所での作業も安心してできるようにすることである。
【課題を解決するための手段】
【０００９】
上記の課題を解決するため、この考案では、開口端の４辺を内側に９０度折り曲げて蓋部材の取り付け用のネジ孔を設ける係止部を形成した配線用のプルボックス本体の開口に取り付けられる４角形の蓋部材において、上記４角形の蓋部材の裏面に、その４角形の対角線から４５°以内で、９０°点対称に４個の係合突起を設け、その９０°点対称に設けた係合突起の先端が蓋部材をプルボックス本体の開口に合致させたときに、開口の係止部に引っ掛かるようにした構成を採用したのである。
【００１０】
このような構成を採用することにより、蓋部材の取り付けは、蓋部材を開口から少しずれた状態にして開口内へ係合突起を入れたのち、蓋部材を開口に合致させると、開口の係止部に係合突起が引っ掛かって蓋部材を係止するので、ネジ止すればよい。また、取り付けられた蓋部材の取り外しは、ネジを緩めても開口の係止部に係合突起が引っ掛かって落ちないように係止しているので、ネジを外したのち蓋部材を回して開口から少しずれた状態にすれば、係止部から係合突起が外れて簡単に取り外せる。このようにこの蓋部材は、係止部を形成した従来の配線用のプルボックス本体に用いることができるので、従来の蓋部材に代えて使用することもできる。
【００１１】
このとき、上記４個の係合突起を裏面に設けた蓋部材と、４つの開口端を内側に９０度折り曲げてネジ孔を設ける係止部を形成したプルボックス本体とからなる構成を採用することができる。
【００１２】
このような構成を採用することにより、蓋の取り付けと取り外しが、大きな力を出さなくとも簡単にできるので、高所での作業も安心してできるプルボックスを提供できる。
【考案の効果】
【００１３】
この考案は、以上のように構成したことにより、蓋部材の取り付けと取り外しが、大きな力を出さなくとも簡単にできるので、高所での作業も安心してできる。
【考案を実施するための最良の形態】
【００１４】
以下、この考案の実施の形態を図面に基づいて説明する。
図１にこの形態の配線用プルボックスを示す。
前記配線用プルボックスは、プルボックス本体２と蓋部材１１とからなっている。プルボックス本体２は、開口端の４辺を内側に９０度折り曲げて形成した係止部４の４隅に、ネジ孔５を設けた従来と同様の形状をしたものである。
【００１５】
この蓋部材１１は、４角形の一角にネジ止め用の貫通孔１２を設けあり、貫通孔１２にネジを挿通してプルボックス本体２の係止部４のネジ孔５に固定するようになっている。
【００１６】
また、蓋部材１１の裏面に、図２のように、４個の係合突起１３が設けてある。この係合突起１３は、図３（ｂ）に示すように、例えば、ピンなどをかしめて軸の先端を軸より大きな円板状に形成したもので、円板と蓋部材１１の裏面までの距離は、図４（ｂ）のように、プルボックス本体２の係止部４の厚みと同じか、やや大きめになっている。このようにすることにより、無理な力を加えなくとも係合できるようにしてある。
【００１７】
また、この４個の係合突起１３は、図２に示すように４角形の蓋部材１１の対角線１４から４５度以内で、かつ、９０度点対称に設けてある。
【００１８】
すなわち、このように対角線１４から４５度以内に設けることで、図３（ａ）のように蓋部材１１をずらせば、プルボックス本体２の開口１の中に係合突起１３を入れることができるようにしてある。また、開口１の中に係合突起１３を入れて図３（ａ）の矢印のように右回転（ネジを閉めるときと同じように）すると、図４（ａ）、（ｂ）のように係合突起１３の先端の円板がプルボックス本体の係止部４の端部に掛かるようにしてある（４５度を越えると蓋部材１１の回転方向が逆向になる）。
【００１９】
そのため、係合突起１３は、プルボックス本体２の係止部４の長さに合わせる必要があり、係止部４の端が係合突起１３先端の円板に当接する位置に設けられる。
【００２０】
また、係合突起１３を９０度点対称に設けることで、いずれの係合突起１３も係止部４に係合することができる。すなわち、例えばプルボックス本体２が開口１を下にして天井に取り付けられた場合は、４個全部の係合突起が蓋部材１１を係止することにより落下を防止する。一方、プルボックス本体２を壁面に取り付けた場合には、いずれの側を下にした場合でも、４個の係合突起１３のうちの下側になった係合突起１３を軸にして残りの突起１３は、蓋部材１１が外れないように係止して止めることができるようにしてある。
【００２１】
この形態は、上記のように構成されており、この形態の配線用プルボックスの蓋部材１１は、先述の図３（ａ）のように、係合突起１３がプルボックス本体２の開口１の中に入るようにして押しつけ、矢印のように右回転させて開口１に合致させる。このとき、係合突起１３はプルボックス本体２の係止部４に当接すると手応えで分かる。すると、係合突起１３の先端の円板が図４（ｂ）のように当接し、図４（ａ）のように係止部４に引っ掛かるので、手を離しても蓋部材１１は落下しない。このとき、蓋部材１１の裏面から係合突起１３の先端の円板までは、係止部４の厚みと同じか、やや大きめにしているので、無理な力を加えなくとも簡単に引っ掛かるようにしてある。そのため、蓋部材１１は係合突起１３によって保持されることになり、手を放しても大丈夫なので両手を使ってネジ止めすることができる。したがって、ネジ止めも余裕をもって安全にできる。このとき、ネジ止めは、一か所だけとして蓋部材１１をずれないようにするだけのものなので、手間も少なくて済み高所での作業も短時間ですむので容易にできる。
【００２２】
因みに、蓋部材１１にはネジ止め用の貫通孔が一か所しか設けて無いのに、プルボックス本体２の係止部４の４角にネジ止め孔が設けて有るのは、天地を無くしてどの向きからでも蓋部材１１を取り付けられるようにして作業効率を向上させるためである。
【００２３】
一方、蓋部材１１を外す場合は、ネジを外しても係合突起１３が蓋部材１１を保持しているので、ネジを取り外したのち、両手でもって蓋部材１１を図３（ａ）の矢印と逆の左回転させれば、係合突起の引っ掛かりがはずれるので、簡単に取り外すことができる。このように簡単に両手で取り外すことができるので、高所での作業も安全に行える。
【００２４】
なお、この形態では、蓋部材１１とプルボックス本体２とがセットになったものを示したが、これに限定されるものではない。蓋部材１１単体でも、突起１３の配置をプルボックス本体２に合わせれば、従来からのプルボックスや既設のプルボックスの蓋部材１１に代えて使用することもできる。
【産業上の利用可能性】
【００２５】
このように、蓋部材の裏面に突起を設ける簡単な構造で蓋部材の取り付け取り外しが劇的に簡単に、かつ、安全に行えるようになるので、プルボックスに限定されるものでなく、他のケースの蓋部材にも適用できる。
【図面の簡単な説明】
【００２６】
【図１】実施形態の斜視図
【図２】実施形態の平面図
【図３】（ａ）、（ｂ）実施形態の作用説明図
【図４】（ａ）、（ｂ）実施形態の作用説明図
【図５】従来例の斜視図
【図６】（ａ）従来例の斜視図、（ｂ）従来例の作用説明図
【符号の説明】
【００２７】
１  開口
２  プルボックス本体
４  係止部
１１  蓋部材
１２  貫通孔
１３  係合突起
１４  対角線
【図１】
0003100707.tif 000003
【図２】
0003100707.tif 000004
【図３】
0003100707.tif 000005
【図４】
0003100707.tif 000006
【図５】
0003100707.tif 000007
【図６】
0003100707.tif 000008